(57)【要約】【課題】使用者の身体に、効率よく温熱を付与することができるマッサージ装置を提供する。【解決手段】マッサージ装置は、マッサージ機構２０、被覆部材４０、および制御部を有する。マッサージ機構２０は、施療子２４、支持機構３０、マッサージ機構本体、およびコイル２３を有する。施療子２４は、使用者の身体１００を施療する。支持機構３０は、施療子２４を支持する。マッサージ機構本体は、支持機構３０を支持する。被覆部材４０は、施療子２４よりも使用者の身体１００側に配置される。被覆部材４０は、コイル２３の通電により内部を通過する磁場が変更することにより発熱する。制御部は、コイル２３に通電する電流を制御する。【選択図】図４
2014079368.tif 000002
【特許請求の範囲】
【請求項１】
使用者の身体を施療する施療子、前記施療子を支持する支持機構、前記支持機構を支持するマッサージ機構本体、およびコイルを有する前記マッサージ機構と、
前記施療子よりも使用者の身体側に配置され、前記コイルの通電により内部を通過する磁場が変化することにより発熱する発熱部材を有する被覆部材と、
前記コイルに通電する電流を制御するための制御部と
を備えるマッサージ装置。
【請求項２】
前記支持機構は、コイル支持部を有し、
前記コイル支持部は、前記施療子の内部に配置され、前記コイルを支持する
請求項１に記載のマッサージ装置。
【請求項３】
前記コイルは、前記マッサージ機構本体のうちの使用者の身体の面する部分に配置される
請求項１に記載のマッサージ装置。
【請求項４】
前記制御部は、使用者の身体の部位に応じて前記コイルに通電する電流値を変更する
請求項１〜３のいずれか一項に記載のマッサージ装置。
【請求項５】
前記発熱部材は、前記被覆部材の部位毎に発熱性能が異なる
請求項１〜４のいずれか一項に記載のマッサージ装置。
【請求項６】
前記マッサージ装置は、前記マッサージ機構を収納するマッサージ装置本体を有し、
前記被覆部材は、前記マッサージ装置本体を覆うカバーの形態を有する
請求項１〜５のいずれか一項に記載のマッサージ装置。
【請求項７】
前記マッサージ装置は、前記マッサージ機構を収納するマッサージ装置本体を有し、
前記被覆部材は、前記マッサージ装置本体と別体に構成されるとしてのクッションの形態を有する
請求項１〜５のいずれか一項に記載のマッサージ装置。
【請求項８】
前記被覆部材は、使用者が着用する衣服の形態を有する
請求項１〜５のいずれか一項に記載のマッサージ装置。
【発明の詳細な説明】
【技術分野】
【０００１】
本発明は、マッサージ装置に関する。
【背景技術】
【０００２】
従来、背もたれ部の内部の空間に施療子および伝熱部を有するマッサージ装置が知られている。このマッサージ装置の伝熱部は、熱源を有する（例えば特許文献１）。
【先行技術文献】
【特許文献】
【０００３】
【特許文献１】特開２０１１−６２４４８号公報
【発明の概要】
【発明が解決しようとする課題】
【０００４】
上記マッサージ装置の伝熱部は、施療子の幅方向の端部に配置される。伝熱部は、背もたれのカバーを介して使用者の身体に温熱を与える。このため、伝熱部から使用者の身体までの距離が遠くなり、温熱が効率的に付与されないおそれがある。なお、上記マッサージ装置は、使用者の背中に温熱を付与するが、使用者の背中以外の部位に温熱を付与するマッサージ装置についても同様の問題が生じ得る。
【０００５】
本発明は、以上の背景をもとに創作されたものであり、使用者の身体に効率よく温熱を付与することができるマッサージ装置を提供することを目的とする。
【課題を解決するための手段】
【０００６】
第１の手段は、「使用者の身体を施療する施療子、前記施療子を支持する支持機構、前記支持機構を支持するマッサージ機構本体、およびコイルを有する前記マッサージ機構と、前記施療子よりも使用者の身体側に配置され、前記コイルの通電により内部を通過する磁場が変化することにより発熱する発熱部材を有する被覆部材と、前記コイルに通電する電流を制御するための制御部とを備えるマッサージ装置」を含む。
【０００７】
第２の手段は、「前記支持機構は、コイル支持部を有し、前記コイル支持部は、前記施療子の内部に配置され、前記コイルを支持するマッサージ装置」を含む。
第３の手段は、「前記コイルは、前記マッサージ機構本体のうちの使用者の身体の面する部分に配置されるマッサージ装置」を含む。
【０００８】
第４の手段は、「前記制御部は、使用者の身体の部位に応じて前記コイルに通電する電流値を変更するマッサージ装置」を含む。
第５の手段は、「前記発熱部材は、前記被覆部材の部位毎に発熱性能が異なるマッサージ装置」を含む。
【０００９】
第６の手段は、「前記マッサージ装置は、前記マッサージ機構を収納するマッサージ装置本体を有し、前記被覆部材は、前記マッサージ装置本体を覆うカバーの形態を有するマッサージ装置」を含む。
【００１０】
第７の手段は、「前記マッサージ装置は、前記マッサージ機構を収納するマッサージ装置本体を有し、前記被覆部材は、前記マッサージ装置本体と別体に構成されるとしてのクッションの形態を有するマッサージ装置」を含む。
【００１１】
第８の手段は、「前記被覆部材は、使用者が着用する衣服の形態を有するマッサージ装置」を含む。
【発明の効果】
【００１２】
本マッサージ装置は、使用者の身体に効率よく温熱を付与することができる。
【図面の簡単な説明】
【００１３】
【図１】実施形態のマッサージ装置に関する斜視図であり、マッサージ装置の全体構造を示す斜視図。
【図２】実施形態のマッサージ装置に関するブロック図であり、マッサージ装置の構成を示すブロック図。
【図３】実施形態のマッサージ機構に関する断面図であり、施療子および支持機構の断面構造を示す断面図。
【図４】実施形態のマッサージ機構に関する断面図であり、コイルによる磁場変化を模式的に示す断面図。
【図５】第１の変形例のマッサージ機構に関する断面図であり、施療子および支持機構の断面構造を示す断面図。
【図６】第１の変形例のマッサージ機構に関する断面図であり、コイルによる磁場変化を模式的に示す断面図。
【図７】第２の変形例のマッサージ装置に関する斜視図であり、マッサージ装置の全体構造を示す斜視図。
【図８】第３の変形例のマッサージ装置に関する斜視図であり、マッサージ装置の全体構造を示す斜視図。
【図９】第３の変形例のマッサージ機構に関する断面図であり、コイルによる磁場変化を模式的に示す断面図。
【図１０】第４の変形例のマッサージ機構に関する断面図であり、コイルによる磁場変化を模式的に示す断面図。
【発明を実施するための形態】
【００１４】
（第１実施形態）
図１および図２を参照してマッサージ装置１の構成について説明する。
図１に示されるように、マッサージ装置１は、制御部５０（図２参照）、コントローラー６０、マッサージ装置本体１０、マッサージ機構２０、および被覆部材４０を有する。マッサージ装置１は、図示しない床面に置かれる。なお、被覆部材４０は、「被覆部材」に相当する。
【００１５】
コントローラー６０は、マッサージ装置本体１０の幅方向の外側に配置される。
図２に示されるように、コントローラー６０は、使用者の操作に基づいて操作信号を制御部５０に送信する。制御部５０は、制御信号に基づいて、マッサージ機構２０を動作させる。制御部５０は、コントローラー６０からの操作信号に基づき、コイル２３に通電する交流電流の電流値を制御する。
【００１６】
図１に示されるように、マッサージ装置本体１０は、座部１１、背もたれ部１２、肘掛１３、およびオットマン１４を有する。背もたれ部１２は、座部１１に対して回転可能に取り付けられる。オットマン１４は、座部１１に対して回転可能に取り付けられる。
【００１７】
以下では、背もたれ部１２の高さ方向を「高さ方向Ｙ」とする。また、背もたれ部１２の幅方向を「幅方向Ｘ」とする。また、背もたれ部１２の幅方向Ｘの外側から中央に向かう方向を「内方Ｘ１」とし、背もたれ部１２の幅方向Ｘの中央から外側に向かう方向を「外方Ｘ２」とする。また、背もたれ部１２の背面側から表面側に向かう方向を「前方Ｚ１」とし、背もたれ部１２の表面側から背面側に向かう方向を「後方Ｚ２」とする。
【００１８】
背もたれ部１２は、硬質樹脂材料により形成される。背もたれ部１２は、前方Ｚ１側が開口する。
マッサージ機構２０は、マッサージ機構本体２１、レール２２、２つのコイル２３、２つの施療子２４、２つの支持機構３０、および電線２６（図３参照）を有する。マッサージ機構本体２１およびレール２２は、背もたれ部１２の内部に配置される。コイル２３を内蔵する施療子２４は、それぞれ支持機構３０に支持される。施療子２４は、支持機構３０を介して、背もたれ部１２の前方Ｚ１側の面の開口部分から前方Ｚ１側に突出する。
【００１９】
レール２２は、背もたれ部１２の高さ方向Ｙに延びる。マッサージ機構本体２１は、モーター（図示略）の駆動により、レール２２に沿って、背もたれ部１２の内部を高さ方向Ｙに移動する。
【００２０】
各コイル２３は、施療子２４の内部に配置される。電線２６（図３参照）は、図示しない電源と各コイル２３とを接続する。
各施療子２４は、幅方向Ｘに２つ並んで配置される。各施療子２４は、内部にコイル配置部２５（図３参照）としての空間を有する。各施療子２４は、マッサージ機構本体２１の前方Ｚ１側に支持機構３０を介して支持される。各施療子２４は、いわゆる揉み玉として、弾性を有する材料により構成される。
【００２１】
図３を参照して、支持機構３０の構成について説明する。
各支持機構３０は、アーム３１、固定軸３２、第１軸受３５、および第２軸受３６を有する。各支持機構３０は、それぞれ１つの施療子２４を支持する。支持機構３０の各部品は、樹脂材料またはアルミ等の非磁性金属により構成される。
【００２２】
アーム３１は、マッサージ機構本体２１（図１参照）の前方Ｚ１側の面から突出する。
固定軸３２は、固定軸本体３２Ａ、２つのフランジ部３３、およびコイル支持部３４を有する。固定軸３２は、固定軸３２の軸方向（以下、「固定軸方向Ｗ」）に延びる円筒形状を有する。固定軸３２は、アーム３１の前方Ｚ１側の端部に取り付けられる。固定軸３２は、内方Ｘ１に向かって伸びる。固定軸３２は、第１軸受３５および第２軸受３６を介して、施療子２４を回転可能に支持する。以下では、固定軸３２の固定軸方向Ｗのアーム３１側から他方側に向かう方向を「内方Ｗ１」とし、固定軸３２の固定軸方向Ｗの他方側からアーム３１側に向かう方向を「外方Ｗ２」とする。
【００２３】
各フランジ部３３は、固定軸本体３２Ａの固定軸方向Ｗの外方Ｗ２寄りの部分および内方Ｗ１側の端部に取り付けられる。
コイル支持部３４は、円筒形状を有する。コイル支持部３４は、各フランジ部３３の間に配置される。コイル支持部３４は、コイル２３を内部に支持する。コイル２３は、固定軸方向Ｗに沿って配置される。すなわち、コイル２３の中心軸は、固定軸方向Ｗと一致する。
【００２４】
第１軸受３５は、固定軸３２の外方Ｗ２側の端部にねじ（図示略）により取り付けられる。第２軸受３６は、固定軸３２の内方Ｗ１側の端部にねじ（図示略）により取り付けられる。第１軸受３５および第２軸受３６は、施療子２４の固定軸方向Ｗの両端部を挟み込む。これにより、施療子２４は固定軸方向Ｗの移動が規制される。
【００２５】
図４を参照して、被覆部材４０について説明する。
被覆部材４０は、発熱部材４１および非発熱部材（図示略）を有する。被覆部材４０は、発熱部材４１および非発熱部材により構成される布地を縫製することにより形成される。被覆部材４０は、背もたれ部１２（図１参照）の前方Ｚ１側の面を覆う。このため、施療子２４は、使用者の身体１００に直接的に接触しない。被覆部材４０は、コイル２３からの磁場が通過する位置に配置される。
【００２６】
発熱部材４１は、内部を通過する磁場の変化により発熱する繊維材料を含めて形成される。発熱部材４１としては、例えばステンレスの糸、およびニッケルメッキしたアクリル糸が挙げられる。
【００２７】
非発熱部材は、内部を通過する磁場の変化により発熱しない繊維材料により形成される。非発熱部材としては、例えば、ポリエステル、およびナイロンやポリウレタン等が挙げられる。
【００２８】
図４を参照して、被覆部材４０の作用について説明する。
制御部５０は、図示しない電源から電線２６を介してコイル２３に電流を供給する。コイル２３は、電流値に応じてコイル２３の周囲の磁場Ｍを変化させる。これにより、被覆部材４０の発熱部材４１の内部を通過する磁場Ｍが変化する。
【００２９】
発熱部材４１は、内部を通過する磁場Ｍが変化するとき、発熱部材４１の内部で渦電流Ｃが発生する。渦電流Ｃは、発熱部材４１の電気抵抗によってジュール熱を発生させる。すなわち、発熱部材４１が自己発熱する。
【００３０】
図１および図２を参照して、制御部５０の動作について説明する。
マッサージ装置１は、複数のマッサージモードを有する。マッサージモードとしては、例えば、「肩マッサージモード」、「腰マッサージモード」、「背中マッサージモード」、および「全身マッサージモード」が用意されている。
【００３１】
肩マッサージモードは、肩部をマッサージする。腰マッサージモードは、腰部をマッサージする。背中マッサージモードは、背中をマッサージする。全身マッサージモードは、肩マッサージモード、背中マッサージモード、および腰マッサージモードを組み合わせて動作する。使用者は、コントローラー６０の操作により、マッサージモードを選択する。制御部５０は、コントローラー６０からの操作信号に基づき、施療子２４の位置および施療子２４の動作状態を制御する。また、制御部５０は、コントローラー６０からの操作信号に基づき、コイル２３に通電する電流値を制御する。
【００３２】
使用者の身体１００は、部位毎に熱に対する感度が異なる。例えば、一般的に腰部は、肩部よりも熱に対して敏感である。このため、腰部に付与する温熱よりも、肩部に付与する温熱が高いことが好ましい。このため、制御部５０は、施療子２４の位置に応じて、コイル２３に供給する電流値を変更する。供給する電流値としては、例えば「温熱段階１」、「温熱段階２」、「温熱段階３」、「温熱段階４」、および「温熱段階５」の５段階が設定されている。温熱段階は、段階数が大きいほど、温度が高い。すなわち、段階数が大きいほど、コイル２３に供給する電流値が大きくなるように設定されている。
【００３３】
肩マッサージモードが選択されたとき、制御部５０は、施療子２４の位置を肩部に一致させる。制御部５０は、施療子２４を前方Ｚ１に突出させ、肩部に押圧力を付与する。また、制御部５０は、コイル２３に「温熱段階５」と対応した電流値を供給し、被覆部材４０を自己発熱させて肩部に温熱を付与する。
【００３４】
腰マッサージモードが選択されたとき、制御部５０は、施療子２４の位置を腰部に一致させる。制御部５０は、施療子２４を前方Ｚ１に突出させ、腰部に押圧力を付与する。また、制御部５０は、コイル２３に「温熱段階３」と対応した電流値を供給し、被覆部材４０を自己発熱させて腰部に温熱を付与する。
【００３５】
背中マッサージモードが選択されたとき、制御部５０は、施療子２４の位置を背中に一致させる。制御部５０は、施療子２４を前方Ｚ１に突出させ、背中に押圧力を付与する。また、制御部５０は、コイル２３に「温熱段階４」と対応した電流値を供給し、被覆部材４０を自己発熱させて背中に温熱を付与する。
【００３６】
コントローラー６０は、使用者の好みに合わせて温熱段階を変更することができる操作部（図示略）を有する。制御部５０は、コントローラー６０からの操作信号に基づき、コイル２３に通電する電流値を上記の温熱段階から変更する。例えば、腰マッサージモードが選択されているときに、コントローラー６０がより低い温熱に設定する操作信号を制御部５０に送信した場合、制御部５０は、腰部に対する温熱段階を「温熱段階３」から「温熱段階２」に変更する。
【００３７】
マッサージ装置１の作用について説明する。
コイル２３は、施療子２４の内部に配置される。また、コイル２３の磁束は、図４に模式的に示されるように施療子２４が施療する身体１００の部分を中心に被覆部材４０を通過する。このため、コイル２３の通電により発熱する被覆部材４０の部分は、施療子２４が圧力を付与する部分と一致する。したがって、使用者の身体１００の同一部分に、施療子２４による圧力と、被覆部材４０による温熱とが付与される。このため、施療を受ける使用者の身体１００の部分へのマッサージ効果が高まる。
【００３８】
人の手でマッサージを行うとき、圧力を付与する身体１００の部分と、手の体温によって温熱が付与される部分が一致する。マッサージ装置１は、使用者の身体１００の同一部分に、施療子２４による圧力と、被覆部材４０による温熱とが付与される。このため、マッサージ装置１によるマッサージを温かい人間の手でマッサージするときのマッサージに近づけることができる。このため、使用者が感じる心地よさを増加させることができる。
【００３９】
マッサージ装置１は、以下の効果を奏する。
（１）発熱部材４１は、マッサージ機構２０を覆う被覆部材４０に配置される。すなわち、発熱部材４１がマッサージ機構２０よりも使用者の身体側に配置される。このため、使用者の身体に効率よく温熱を付与することができる。
【００４０】
（２）コイル２３は、施療子２４の内部に配置される。このため、施療子２４の移動にともなってコイル２３も移動する。このため、マッサージ装置１は、施療子２４による圧力の付与と、発熱部材４１による温熱とを、使用者の身体１００の同じ部位に付与することができる。このため、マッサージ装置１は、マッサージ装置１によるマッサージを温かい人間の手でマッサージするときのマッサージに近づけることができる。
【００４１】
（３）制御部５０は、使用者の身体の部位に応じてコイル２３に通電する電流値を制御する。発熱部材４１の発熱温度は、電流値により変化する。このため、マッサージ装置１は、使用者の身体１００の部位の特性および好みに応じた温熱を使用者の身体１００に付与できる。
【００４２】
（４）被覆部材４０は、使用者の身体１００と接触する部位のみが自己発熱する。このため、コイル２３の通電から被覆部材４０が温まるまでの時間を短くすることができる。このため、被覆部材４０の温度を制御しやすい。また、身体１００の部位に合わせて温度を変更することが容易となる。このため、付与する温熱を低くしたい身体１００の部位においては、電流値を低くすることができるため、消費電力を少なく抑えることができる。
【００４３】
（その他の実施形態）
本マッサージ装置は、上記実施形態以外の実施形態を含む。以下、本マッサージ装置のその他の実施形態としての変形例を示す。なお、以下の各変形例は、互いに組み合わせることもできる。
【００４４】
・実施形態のコイル２３は、固定軸方向Ｗに沿って配置される。ただし、コイル２３の構成はこれに限られない。例えば、図５に示されるコイル２３は、固定軸方向Ｗと直交する方向に沿って配置される。すなわち、コイル２３の中心軸は、固定軸方向Ｗと直交する方向と一致する。図６に示されるように、このコイル２３は、通電したとき、磁場Ｍが被覆部材４０の内部を通過し、発熱部材４１に渦電流Ｃを生じさせる。
【００４５】
・実施形態のコイル２３は、施療子２４の内部に配置される。ただし、コイル２３の構成はこれに限られない。例えば、図７に示されるコイル１２３は、マッサージ機構２０の使用者の身体に面する部分に配置される。このコイル１２３を有するマッサージ装置１は、施療子２４が施療する身体１００の部分とは異なる部分の被覆部材４０を自己発熱させることができる。このため、使用者の身体１００において施療子２４の動作と、施療子２４が施療する部分とは異なる部分への温熱の付与を同時に行うことができる。
【００４６】
・上記図７に示される変形例において、各施療子２４の内部にコイル２３を配置することもできる。この場合、コイル２３およびコイル１２３を有するマッサージ装置１は、使用者の身体１００において施療子２４が施療する部分への温熱の付与、および施療子２４が施療する部分とは異なる部分への温熱の付与を同時に行うことができる。
【００４７】
・実施形態の被覆部材４０は、背もたれ部１２のカバーとしての形態を有する。ただし、被覆部材４０の構成はこれに限られない。例えば、図８に示される被覆部材７０は、背もたれ部１２に配置されるクッションとしての形態を有する。被覆部材７０は、マッサージ装置本体１０とは別体として構成される。被覆部材７０は、マッサージ装置本体１０から取り外すことができる。図９に示されるように被覆部材７０は、クッション材中に混入される発熱部材７１および非発熱部材を有する。非発熱部材は、例えばウレタンにより構成される。被覆部材７０は、マッサージ装置本体１０とは別体に構成される。このため、使用者は、被覆部材７０を所望の位置に移動させることができる。このため、座り心地が向上する。なお、この変形例のマッサージ装置１は、背もたれ部１２のカバー１４０を非発熱部材のみにより構成することもできる。
【００４８】
・実施形態の被覆部材４０は、背もたれ部１２のカバーとしての形態を有する。ただし、被覆部材４０の構成はこれに限られない。例えば、図１０に示される被覆部材８０は、使用者が着用する衣服としての形態を有する。被覆部材８０は、発熱部材８１を有する。衣服としては、例えばベストおよびシャツ等の上着形状とすることができる。この場合、被覆部材８０を使用者の身体１００に密着させることができる。このため、被覆部材８０は、使用者の身体１００からずれ難い。なお、この変形例のマッサージ装置１は、背もたれ部１２のカバー１４０を非発熱部材のみにより構成することもできる。
【００４９】
・実施形態の被覆部材４０は、発熱部材４１の繊維および非発熱部材の繊維を織り上げることにより構成される。ただし、被覆部材４０の構成はこれに限られない。例えば、変形例の被覆部材４０は、非発熱部材としての人工皮革の裏側に、発熱部材４１を有する布を貼り付けることにより構成される。
【００５０】
・実施形態の制御部５０は、身体１００の部位毎に通電する電流値を変更する。ただし、制御部５０の構成はこれに限られない。例えば、変形例の制御部５０は、身体１００の部位毎に通電の実行と停止とを切り替える。この場合、例えば、制御部５０は、腰マッサージモードにおいて、通電を停止し、背中マッサージモードおよび肩部マッサージモードにおいて通電を実行する。
【００５１】
・実施形態の制御部５０は、腰部、背中、および肩部において通電する電流値を変更する。ただし、制御部５０の構成はこれに限られない。例えば、変形例の制御部５０は、各マッサージモードにおいて、身体１００の右半身と対応するコイル２３の電流値と、身体１００の左半身と対応するコイル２３の電流値とを異ならせる。
【００５２】
・実施形態のマッサージ装置１は、制御部５０がコイル２３に通電する電流値を変更することにより、被覆部材４０の自己発熱温度を変更する。ただし、マッサージ装置１の構成はこれに限られない。例えば、変形例のマッサージ装置１は、被覆部材４０が対応する身体１００の部位に応じて、発熱性能を異ならせる。例えば、変形例の被覆部材４０は、発熱部材４１と非発熱部材の割合を異ならせることにより発熱性能を異ならせるができる。具体的には、この被覆部材４０は、肩部に対応する部分の非発熱部材に対する発熱部材４１の割合が、腰部に対応する部分の非発熱部材に対する発熱部材４１の割合よりも大きい。また、別の変形例の被覆部材４０は、肩部に対応する部分の発熱部材４１の電気抵抗と、腰部に対応する部分の発熱部材４１の電気抵抗とが異なる。
【００５３】
・実施形態のマッサージ装置１は、施療子２４の内部にコイル２３を有する。ただし、マッサージ装置１の構成はこれに限られない。例えば、変形例のマッサージ装置１は、複数のコイル２３を有する。複数のコイル２３は、それぞれ背もたれ部１２の内部の異なる場所に配置される。この場合、制御部５０は、施療子２４の背もたれ部１２に対する位置に応じて、各コイル２３に通電する電流値を変更する。例えば、施療子２４に最も近いコイル２３に通電し、これ以外のコイルには通電しない。
【００５４】
・実施形態の支持機構３０は、支持機構３０の各部品が樹脂材料またはアルミ等の非磁性金属により形成される。ただし、支持機構３０の構成はこれに限られない。例えば、変形例の支持機構３０は、各部品の全部または一部がステンレスにより形成される。
【００５５】
・実施形態のマッサージ装置１は、背もたれ部１２の内部にマッサージ機構２０を有する。ただし、マッサージ装置１の構成はこれに限られない。例えば、変形例のマッサージ装置１は、オットマン１４の内部にマッサージ機構２０を有する。
【００５６】
・実施形態のマッサージ装置１は、椅子型のマッサージ装置本体１０を有する。ただし、マッサージ装置１の構成はこれに限られない。例えば、変形例のマッサージ装置１は、クッション型のマッサージ装置本体１０を有する。
【００５７】
（実施形態の記載に基づく付記事項）
上記実施形態に記載の事項を上位概念化した事項を以下に記載する。
（付記１）使用者の身体を施療する施療子、前記施療子を支持する支持機構、前記支持機構を支持するマッサージ機構本体、および複数のコイルを有する前記マッサージ機構と、前記施療子よりも使用者の身体側に配置され、前記コイルの通電により内部を通過する磁場が変化することにより発熱する発熱部材を有する被覆部材と、前記コイルに通電する電流を制御するための制御部とを備え、前記施療子は、身体に対して移動し、前記複数のコイルは前記施療子の移動範囲において、それぞれ異なる部分に配置され、前記施療子が施療する部位に応じて、前記複数のコイルに通電する電流値を変更するマッサージ装置。
（付記２）使用者の身体を施療する施療子、前記施療子を支持する支持機構、前記支持機構を支持するマッサージ機構本体、およびコイルを有する前記マッサージ機構と、前記コイルに通電する電流を制御するための制御部とを備えるマッサージ装置に用いられる被覆部材であって、前記コイルの通電により内部を通過する磁場が変化することにより発熱する発熱部材を有する被覆部材。
（付記３）前記被覆部材は、衣服の形態を有する付記２に記載の被覆部材。
【符号の説明】
【００５８】
１…マッサージ装置、１０…マッサージ装置本体、２０…マッサージ機構、２１…マッサージ機構本体、２３…コイル、２４…施療子、３０…支持機構、３４…コイル支持部、４０…被覆部材、４１…発熱部材、５０…制御部。
【図１】
2014079368.tif 000003
【図２】
2014079368.tif 000004
【図３】
2014079368.tif 000005
【図４】
2014079368.tif 000006
【図５】
2014079368.tif 000007
【図６】
2014079368.tif 000008
【図７】
2014079368.tif 000009
【図８】
2014079368.tif 000010
【図９】
2014079368.tif 000011
【図１０】
2014079368.tif 000012